(57)【要約】      （修正有）【課題】袢天の形に折りたたまれた内容物が、袋の中で自然にたるみ・ずれを発生していた。そのたるみ・ずれを防止すること。【解決手段】発案した独自の台紙を挿入する事で、ＰＰ袋包装と合わせて、たるみ・ずれを防止する。合わせて、ミシン目を入れることで、背中の文字を見せたいときはコの字に切り取る方法で背文字も見せられる。（台紙が透明の場合はこの限りではない）【選択図】図１
0003129698.tif 000002
【実用新案登録請求の範囲】
【請求項１】
前もって本染めしたデザイン手拭（襟や身頃、背に名入れ・模様を入れた）を折りたたみ袢天（法被）の形にした製品（以降内容物と称す）に台紙を付け、外袋（ＰＰ包装）に収納した壁掛けタイプの包装体。ここでは特に内容物が折り込んだ手拭の為、袋の中で容易に移動しないように、台紙にて挟み込む方法をとり、収納し易くした、特長ある包装体。
【考案の詳細な説明】
【考案の開示】
【考案が解決しようとする課題】
【０００１】  袋包装体の中にある内容物等のずれ、たるみを解消する袋包装体を開発すること。
【課題を解決する為の手段】
【０００２】  独自の切れ目の入った台紙を挿入することで、内容物のずれ、たるみを容易に解消することができる。
【考案の効果】
【０００３】  内容物自体の重みにより袋包装体の中で、ずれ、たるみを起こしていたが、台紙を挿入する事で課題を解消できる。
【考案を実施す為の最良の形態】
【０００４】  本来１本の手拭を折りたたみ壁掛けタイプにしたい為、台紙を挿入し、ＰＰ袋包装したコンパクトな包装体とする。
【産業上の利用可能性】
【０００５】  ＰＰ包装の壁かけタイプとしてのインテリア品はもちろん、広げることで一本の手拭としても使用できる。
【図面の簡単な説明】
【０００６】
【図１】  内容物の折りたたみ方を示した平面図である。
【図２】  内容物を壁掛けタイプにしたい為、台紙を挿入する方法を示した平面図である。
【図１】▲１▼  折り畳む前の原図である。実線を谷折りとし、点線を山折りとする。  ▲２▼  ▲１▼の原図を裏返し、襟となる部分を２回谷折りする。続いて裏返し、中心が三角形の頂点になるように染葵の文字が両襟に均等に出るよう▲２▼の図になるよう折る。  ▲３▼  裏返し▲１▼のＡ点を谷折り。再度裏返し、Ｂ点を谷折り。再び裏返し、向かって左胸の川越の文字が出るように折り、図▲３▼のように三角形の袋折りをする。  ▲４▼  向かって右胸の小江戸が出るよう、同じく三角形の袋折りをして▲４▼の図を完成させる。  ▲５▼  ▲４▼の図を裏返し、▲５▼の図とする。  ▲６▼  三角形の袋折りした部分を谷折りし▲６▼の図とする。  ▲７▼  背文字の葵の文字のバランスを考えながら、中央にうまく葵の文字が出るように２回折りして▲７▼図を完成させる。  ▲８▼  表にして、ぷちやっこ（内容物）が完成となる。
【図２】▲１▼  内容物を裏返し、折り上がっている袖部分に台紙を挟む為、上方に上げた図である。  ▲２▼  台紙を内容物の上に置いた図である。  ▲３▼  上方に上げた袖部分を元に戻すように折りたたむ過程で、台紙Ｘ、Ｚ部分が袖の上側、そして、Ｙ部分が袖の下側になるようにそれぞれ差し込む。（袖は台紙Ｘ及びＺと台紙Ｙ部分で挟みこまれている状態となる。）  ▲４▼  ▲３▼を裏返し、表側から見た完成図である。  ▲５▼  ▲４▼をＰＰ袋包装し、上部に鳩目を付け、京紐を結んだ図である。台紙の効果により、壁掛けとして使用しても内容物がたるみやずれを起こすことがない。▲５▼の図が台紙付ＰＰ包装の壁掛け式の完成図である。
【図１】
0003129698.tif 000003
【図２】
0003129698.tif 000004
【手続補正書】
【提出日】平成17年10月3日(2005.10.3)
【手続補正１】
【補正対象書類名】実用新案登録請求の範囲
【補正対象項目名】全文
【補正方法】変更
【補正の内容】
【実用新案登録請求の範囲】
【請求項１】
前もって本染めし、襟、身頃、及び背に名あるいは模様を入れた手拭を折りたたみ、半天の形にした製品を袋の中で容易に移動しないように台紙で挟み、収納しやすくした包装体。
【手続補正２】
【補正対象書類名】明細書
【補正対象項目名】全文
【補正方法】変更
【補正の内容】
【考案の詳細な説明】
【考案の開示】
【考案が解決しようとする課題】
【０００１】包装体の中にある内容物のずれ、たるみを解消する包装方法を開発すること。
【課題を解決する為の手段】
【０００２】独自の台紙を差し込むことで、内容物のずれ、たるみを容易に解消することができる。
【考案の効果】
【０００３】内容物自体の重みにより包装体のなかで、ずれ、たるみ、を起こしていたが台紙を差し込むことで、ずれ、たるみを解決できる。
【考案を実施するための最良の形態】
【０００４】本来１本の手拭を折りたたみ壁掛けタイプにしたい為、台紙を差し込む事によりコンパクトな包装体とする。
【産業上の利用可能性】
【０００５】ＰＰ包装の壁かけタイプとしてのインテリア品であり、広げることで１本の手拭として使用できる。
【図面の簡単な説明】
【０００６】
【図１】内容物のずれ、たるみを防ぐ為の台紙を差し込む方法を示した図である。
【図２】内容物そのもののたたみ方の図である。
【手続補正３】
【補正対象書類名】図面
【補正対象項目名】全図
【補正方法】変更
【補正の内容】
【図１】
0003129698.tif 000005
【図２】
0003129698.tif 000006
【手続補正書】
【提出日】平成18年1月4日(2006.1.4)
【手続補正１】
【補正対象書類名】実用新案登録請求の範囲
【補正対象項目名】全文
【補正方法】変更
【補正の内容】
【実用新案登録請求の範囲】
【請求項１】
前もって本染めし、襟、身頃、及び背に名あるいは模様を入れた手拭を折りたたみ、半天の形にした製品を袋の中で容易に移動しないように台紙で挟み、収納しやすくした包装体。
【手続補正２】
【補正対象書類名】明細書
【補正対象項目名】全文
【補正方法】変更
【補正の内容】
【考案の詳細な説明】
【考案の開示】
【考案が解決しようとする課題】
【０００１】包装体の中にある内容物のずれ、たるみを解消する包装方法を開発すること。
【課題を解決する為の手段】
【０００２】独自の台紙を差し込むことで、内容物のずれ、たるみを容易に解消することができる。
【考案の効果】
【０００３】内容物自体の重みにより包装体のなかで、ずれ、たるみ、を起こしていたが台紙を差し込むことで、ずれ、たるみを解決できる。
【考案を実施するための最良の形態】
【０００４】本来１本の手拭を折りたたみ壁掛けタイプにしたい為、台紙を差し込む事によりコンパクトな包装体とする。
【産業上の利用可能性】
【０００５】ＰＰ包装の壁かけタイプとしてのインテリア品であり、広げることで１本の手拭として使用できる。
【図面の簡単な説明】
【０００６】
【図１】内容物のずれ、たるみを防ぐ為の台紙を差し込む方法を示した図である。
【図２】内容物そのもののたたみ方の図である。
【手続補正３】
【補正対象書類名】図面
【補正対象項目名】全図
【補正方法】変更
【補正の内容】
0003129698.tif 000007
【手続補正書】
【提出日】平成18年11月30日(2006.11.30)
【手続補正１】
【補正対象書類名】手続補正書
【補正対象項目名】手続補正３
【補正方法】変更
【補正の内容】
【手続補正３】
【補正対象書類名】図面
【補正対象項目名】全図
【補正方法】変更
【補正の内容】
【図１】
0003129698.tif 000008
【図２】
0003129698.tif 000009